(57)【要約】      （修正有）【課題】有機溶剤を使用せずに対人、対野生動物の両方に有効な催涙性皮膚刺激スプレ−を提供する。【解決手段】（１）工業用エタノ−ルを溶剤とし、（２）粉末唐辛子を工業用エタノ−ルに漬け込み、唐辛子のエキス並びに色素を抽出した溶液並びに（３）２−クロロアセトフェノン（ＣＡＳ登録番号Ｎｏ：５３２−２４−４）を混合し、炭酸ガスと供にスプレ−缶に封入した。【選択図】なし【特許請求の範囲】
【請求項１】
▲１▼『工業用エタノール』を溶剤とし、▲２▼『粉末唐辛子を工業用エタノールに漬け込み、唐辛子のエキス並びに色素を抽出した溶液』並びに▲３▼『クロロアセトフェノン（ＣＡＳ登録番号Ｎｏ：５３２−２４−４）』を混合し、炭酸ガスと供にスプレー缶に封入した〔催涙性皮膚刺激スプレー〕。
【発明の詳細な説明】
【技術分野】
【０００１】  この発明は、▲１▼『工業用エタノ−ル』を溶剤とし、▲２▼『粉末唐辛子を工業用エタノールに漬け込み、唐辛子のエキス並びに色素を抽出した溶液』並びに▲３▼『２−クロロアセトフェノン（ＣＡＳ登録番号Ｎｏ：５３２−２４−４）』を混合し、炭酸ガスと供にスプレ−缶に封入した［催涙性皮膚刺激スプレー］に関するものである。
【背景技術】
【０００２】  現在、痴漢撃退用などを目的として、米国やヨーロッパ等から多種多様の対人用催涙スプレーが輸入販売されているが、『粉末唐辛子を工業用エタノ−ルに漬け込み、唐辛子のエキス並びに色素を抽出した溶液』と『クロロアセトフェノン』を『工業用エタノール』に混合させたものを炭酸ガス・スプレ−に封入した［催涙性皮膚刺激スプレ−］は、対人用、対動物用の両面において皆無である。【０００３】  平成２０年２月４日、午前１１時３０分から、発明協会群馬県支部において、『２−くろろあせとふぇのん』『２−クロロアセトフェノン』『塩化フェナシル』『唐辛子』『とうがらし』『カプサイシン』等を『キーワード』に、特許庁のデータベースに『先行技術登録に関してのキーワード簡易検索』を実施するも、『唐辛子・カプサイシン』に関しては該当事項があったが、『２−クロロアセトフェノン』さらには『唐辛子抽出溶液とクロロアセトフェノンの混合物』に抵触する『催涙物質等関係』に関しては、該当件数０であった。【０００４】  クロロアセトフェノン（ＣＡＳ登録番号Ｎｏ：５３２−２４−４）は別名『オメガ−クロロアセトフェノン』『２−クロロアセトフェノン』『塩化フェナシル』等呼称されているが、分子式『Ｃ８Ｈ７ＣｌＯ』又は『Ｃ６Ｈ５ＣＯＣＨ２Ｃｌ』のものを指し、以後『２−クロロアセトフェノン』と略称する。
【発明の開示】
【発明が解決しようとする課題】
【０００５】  溶剤には、毒性が認められる『トルエン、キシレン等の有機溶剤』を使用するのではなく、噴射客体、自然環境にも優しいアルコ−ルを使用する必要がある。【０００６】  大量な『２−クロロアセトフェノン』をアルコールに接触させると、発熱と供に、有毒な塩化水素ガスを発生する為、製造過程における危険防止の観点から、アルコ−ルへの溶解分量を本来の目的である『催涙効果』を達成させる為に必要最小限度の、ごく少量に抑える必要がある。【０００７】  又、『２−クロロアセトフェノン』の毒性は《刺激作用：０．１５〜０．４ｍｇ／１立方メ−トル》《催涙作用：０．３〜０．４ｍｇ／１立方メートル》《吸入ヒト不能量：５〜１５ｍｇ／１立方メ−トル》《吸入ヒト推定半数致死量（ＬＣｔ５０）：１０，０００ｍｇ−分／１立方メートル》と言われている為、使用時に予測される噴出量を熟考し、溶解分量を必要最小限度の、ごく少量に抑える必要がある。【０００８】  『２−クロロアセトフェノン』は、『薬物中毒者、泥酔者、野生動物には効き目が出ない場合がある』とも言われている為、対抗処置として、これ等の客体に有効な『唐辛子エキスもしくは、カプサイシンに準じた物質』も添加する必要がある。【０００９】  これらの各混合物質をスプレー缶に封入する際には、含有水分による、『内部からの腐食が原因となる破裂』を防ぐ為に、溶剤とする『工業用エタノ−ル』は水分含有量の少ない、高濃度の物を利用する必要がある。
【発明を解決するための手段】
【００１０】  『粉末唐辛子をの工業用エタノ−ルに漬け込み、唐辛子のエキス並びに色素を抽出した溶液』を作成する。
【００１１】  『上記溶液』を『工業用エタノ−ル』と混合させ、そこに『２−クロロアセトフェノン』を溶解させ、［催涙性皮膚刺激溶液］を作成し、『炭酸ガス』と供にスプレ−缶の中に充填した［催涙性皮膚刺激スプレ−］が本発明である。
【発明の効果】
【００１２】  本発明により、溶剤に『トルエン、キシレン等の有機溶剤』を使用せず、噴射客体のみならず、自然環境にも優しい［催涙性皮膚刺激スプレ−］の提供がが可能になる。
【発明を実施するための最良の形態】
【００１３】  含有水分による『ボンベ内部の腐食が原因となる破裂』を防止する為に、溶剤となる、▲１▼『工業用エタノ−ル』は９９％の物を利用し、▲２▼『粉末唐辛子を漬け込む工業用エタノ−ル』も９９％の物を利用する。
この『▲１▼と▲２▼の混合溶液』に▲３▼『２−クロロアセトフェノン』を重量パーセント１％程度の比率で混合し、炭酸ガスと供にスプレ−缶に封入する。【００１４】  具体的には、▲１▼『９９％工業用エタノール』７９．１３ＷＴ％、▲２▼『粉末唐辛子を９９％工業用エタノ−ルに漬け込んだ溶液』１９．７８ＷＴ％、▲３▼『２−クロロアセトフェノン』１．０９ＷＴ％程度の配合率が、製造過程においても、安全で適した配合と思われる。
【産業上の利用可能性】
【００１５】  最近、人間に慣れ親しみすぎた、猿・シカ等の野生動物と人間との間において、『農作物の被害』『土産物店等での商品窃取』『観光地等での受傷事故』等の問題が深刻化しているが、この発明により、『客体動物を捕獲・殺傷』する事なく、『スプレーの噴射効果による自然界へ撃退』が可能になる。【００１６】  又、『対人への有効性』が認められる為、コンビニ、金融機関、教育現場等への配備により『凶悪犯罪の抑止効果』等、産業上、防犯上、自然環境の保護上等、その利用可能性はとても大きなものであると思われる。
【手続補正書】
【提出日】平成20年7月8日(2008.7.8)
【手続補正１】
【補正対象書類名】特許請求の範囲
【補正対象項目名】請求項１
【補正方法】変更
【補正の内容】
【請求項１】
１『工業用エタノ−ル』を溶剤とし、２『粉末唐辛子を工業用エタノ−ルに漬け込み、唐辛子のエキス並びに色素を抽出した溶液』並びに３『クロロアセトフェノン（ＣＡＳ登録番号Ｎｏ：５３２−２７−４）』を混合し、炭酸ガスと供にスプレ−缶に封入した［催涙性皮膚刺激スプレ−］。
【手続補正３】
【補正対象書類名】明細書
【補正対象項目名】０００１
【補正方法】変更
【補正の内容】
【０００１】  この発明は、▲１▼『工業用エタノ−ル』を溶剤とし、▲２▼『粉末唐辛子を工業用エタノ−ルに漬け込み、唐辛子のエキス並びに色素を抽出した溶液』並びに▲３▼『２−クロロアセトフェノン（ＣＡＳ登録番号Ｎｏ：５３２−２７−４）』を混合し、炭酸ガスと供にスプレ−缶に封入した［催涙性皮膚刺激スプレ−］に関するものである。
【手続補正４】
【補正対象書類名】明細書
【補正対象項目名】０００４
【補正方法】変更
【補正の内容】
【０００４】  クロロアセトフェノン（ＣＡＳ登録番号Ｎｏ：５３２−２７−４）は別名『オメガ−クロロアセトフェノン』『２−クロロアセトフェノン』『塩化フェナシル』等呼称されているが、分子式『Ｃ８Ｈ７Ｃ１Ｏ』又は『Ｃ６Ｈ５ＣＯＣＨ２Ｃ１』のものを指し、以後『２−クロロアセトフェノン』と略称する。